(57)【特許請求の範囲】
【請求項１】
動作可能な演出部材と、
一端が前記演出部材に接続され、当該演出部材が移動することに伴って変形する接続部材と、
を備え、
前記演出部材には、前記接続部材が当該演出部材の外側に留まるように押さえる押さえ部が設けられており、
前記演出部材における外縁に前記押さえ部が設けられた部分の厚み方向における長さは、当該方向における前記接続部材の長さよりも小さく、かつ、当該方向における前記押さえ部の長さは、当該方向における前記接続部材の長さよりも大きく、
前記演出部材における外縁に前記押さえ部が設けられた部分に対し、その少なくとも一部が厚み方向に重なるようにして駆動源の動力を伝達するための伝達部材が接続されていることを特徴とする遊技機。
【請求項２】
前記押さえ部は、前記演出部材における前記伝達部材が接続された箇所と、前記接続部材との間に設けられていることを特徴とする請求項１に記載の遊技機。
【発明の詳細な説明】
【技術分野】
【０００１】
本発明は、動作する演出部材およびそれに接続された接続部材を備える遊技機に関する。
【背景技術】
【０００２】
下記特許文献１に記載のように、動作する演出部材（可動部材）に電線等が接続されることがある。この電線等の接続部材は、演出部材の動作に合わせて撓んだり、延びたりする。
【先行技術文献】
【特許文献】
【０００３】
【特許文献１】特開２０１３−１８０１４６号公報
【発明の概要】
【発明が解決しようとする課題】
【０００４】
演出部材やそれに接続される接続部材の配置スペースの大型化を抑制するため、これらをコンパクトにまとめようとすると、演出部材が動作する度、変形する接続部材が演出部材に接触する構成とせざるを得ない場合がある。このような場合には、演出部材に接続部材が絡んでしまったり、両者が接触したりすることによって接続部材が損傷してしまうおそれがある。
【０００５】
本発明は、動作する演出部材およびそれに接続された接続部材を備える遊技機において、接続部材の損傷の発生を抑制することにある。
【課題を解決するための手段】
【０００６】
上記課題を解決するためになされた請求項１の発明にかかる遊技機は、動作可能な演出部材と、一端が前記演出部材に接続され、当該演出部材が移動することに伴って変形する接続部材と、を備え、前記演出部材には、前記接続部材が当該演出部材の外側に留まるように押さえる押さえ部が設けられており、前記演出部材における外縁に前記押さえ部が設けられた部分の厚み方向における長さは、当該方向における前記接続部材の長さよりも小さく、かつ、当該方向における前記押さえ部の長さは、当該方向における前記接続部材の長さよりも大きく、前記演出部材における外縁に前記押さえ部が設けられた部分に対し、その少なくとも一部が厚み方向に重なるようにして駆動源の動力を伝達するための伝達部材が接続されていることを特徴とする。
なお、ここでいう「接続」には、接続部材が直接演出部材に接続された構造だけでなく、接続部材が他の部材を介して間接的に演出部材に接続されたような構造を含む。
【００１０】
請求項２に記載の発明は、請求項１に記載の遊技機において、前記押さえ部は、前記本体部における前記伝達部材が接続された箇所と、前記接続部材との間に設けられていることを特徴とする。
【発明の効果】
【００１１】
請求項１に記載の発明のように、接続部材が外側に留まるよう押さえる押さえ部が演出部材に設けられていれば、演出部材が動作する際に接続部材が演出部材の内側に入り込んで絡み付いてしまい、接続部材が損傷してしまう事態の発生を抑制することが可能である。
【００１２】
また、押さえ部の所定方向における長さを、当該所定方向における接続部材の長さよりも大きくすることで、接続部材の一部が局所的に演出部材に接触してしまい、当該局所的に接触する部分のみ劣化（損傷）が進行してしまうのを抑制することが可能である。
【００１３】
また、相対的に厚みが小さい第一の部分に伝達部材が接続された構成とすれば、演出部材とそれに動力を伝達する伝達部材の構成が大きくなってしまうのを抑制しつつ、相対的に厚みが小さい第一の部分に押さえ部が設けられているから、当該第一の部分と接続部材が局所的に接触し、当該局所的に接触する部分のみ劣化（損傷）が進行してしまうのを抑制することが可能である。
【００１４】
請求項２に記載の発明のように、演出部材における伝達部材が接続された箇所と、接続部材との間に押さえ部が設けられていれば、接続部材と伝達部材が接触する（接続部材と伝達部材が絡んでしまう）のを抑制することが可能である。
【図面の簡単な説明】
【００１５】
【図１】本発明の一実施形態にかかる遊技機の正面図であり、演出部材が演出位置に位置した状態を示したものである（発射装置（発射ハンドル）等公知の部材は省略）。
【図２】センターベースおよびそれに固定されたベース部材に支持された演出部材の外観斜視図であり、演出部材が演出位置に位置した状態を示したものである。
【図３】ベース部材それに支持された演出部材を後方から見た外観斜視図であり、演出部材が待機位置に位置した状態を示したものである。
【図４】ベース部材それに支持された演出部材を後方から見た外観斜視図であり、演出部材が演出位置に位置した状態を示したものである。
【図５】ベース部材それに支持された演出部材を後方から見た図であり、演出部材が演出位置に位置した状態を示したものである。
【図６】（ａ）は演出位置に位置する演出部材と接続部材の位置関係を示した模式図であり、（ｂ）待機位置に位置する演出部材と接続部材の位置関係を示した模式図である。
【図７】平面方向に沿って見たときにおける押さえ部（本体部）と接続部材の大小関係を説明するための模式図である。
【発明を実施するための形態】
【００１６】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００１７】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１８】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１９】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２０】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、スロットマシン等、他の種類の遊技機であってもよい。
【００２１】
本実施形態にかかる遊技機１は、図２〜図５に示すように、演出部材１０および接続部材２０を備える。演出部材１０は、遊技盤９０の後方に設けられるセンターベースに固定されたベース部材４０に支持されている（図２参照）。なお、本実施形態にかかる遊技機１は、第一演出部材および第二演出部材という面Ｆに関し左右対称形状の二つの演出部材１０を備える。本発明に関係する部分の構成は面Ｆに関し左右対称であるため、一の演出部材１０のみを説明する。演出部材１０は、所定の範囲を動作可能に設けられたいわゆる役物である。本実施形態における演出部材１０は、平面方向に沿って移動するものであり、遊技盤９０の開口９０１よりも下側の部分に覆われた待機位置から、開口９０１を通じて視認可能となる演出位置との間を往復動可能なものである。
【００２２】
演出部材１０は、本体部１１およびアーム部１２を有する。本実施形態における本体部１１は、その厚み方向が前後方向と略一致するように配置された板状の部分であって、本体部１１の前面には、演出効果を発現する装飾部１１０が設けられている。装飾部１１０の装飾態様はどのようなものであってもよい。本体部１１は、相対的に厚みが小さい（薄い）第一の部分１１１と、相対的に厚みが大きい（厚い）第二の部分１１２を含む。当該厚みの差によって、装飾部１１０の反対側の面に段差が生じるような形状となっている。つまり、装飾部１１０（本体部１１の前面）はその装飾による段差等を考慮しなければ略平坦な面であるが、本体部１１の後面は本体部１１自体の厚みの差によって段差が存在する面となっている。
【００２３】
アーム部１２は、本体部１１から延びる細長い軸状の部分である。アーム部１２の先端は、遊技機１本体に固定されたベース部材４０に接続されている。演出部材１０は、当該接続された箇所を支点として回動することとなる。
【００２４】
また、演出部材１０には、接続部材２０の一端が接続されている（直接接続されていてもよいし、別の部材を介して間接的に接続されていてもよい）。接続部材２０は、演出部材１０の第二の部分１１２に接続されている。本実施形態における接続部材２０は、細長い帯状のフラットケーブル（複数の電線（単線）が並べられて帯状にされたもの）である。本実施形態における演出部材１０（装飾部１１０）には、演出効果を高めるための光源が設けられており、接続部材２０は当該光源に電力を供給するための電力線である。接続部材２０の他端は、ベース部材４０の幅方向における略中央に固定された基板４２に接続されている。演出部材１０は、ベース部材４０に対して移動（変位）するものであるから、一端が演出部材１０に接続され、他端がベース部材４０に接続（本実施形態では基板４２を介して間接的に接続）されている接続部材２０は、演出部材１０が動作すると、当該動作に合わせるようにして変形する。
【００２５】
なお、演出部材１０の動作によって変形するものであって、以下の説明に合致するものであれば、接続部材２０はフラットケーブルでなくてもよい。例えばＦＰＣであってもよい。また、電線（電力を供給する電力線や信号をやり取りするための信号線）でなくてもよい。
【００２６】
接続部材２０は、その幅方向が前後方向と略一致するように設けられている。つまり、接続部材２０の幅方向が本体部１１の厚み方向と略一致するように設けられている。本体部１１に接続された接続部材２０の一端側から大まかに見て、一端から幅方向内側に向かい、そこから再び幅方向外側に向かい、さらに幅方向中央に位置する基板４２に向かって幅方向内側に向かう略「Ｓ（逆Ｓ）」字形状となるように配置されている。本実施形態では、接続部材２０の他端側（基板４２側）に、接続部材２０の他端側を基板４２から下方に向かうような形状に維持するための維持部材４３がベース部材４０に設けられている。演出部材１０は平面方向に沿って移動するものであり、接続部材２０は幅方向が前後方向に沿うようにして配置（前後方向に変形しにくいように配置）されたものであるから、演出部材１０が移動しても、接続部材２０の前後方向位置はほとんど変化しない。つまり、後述するように、本体部１１は、大まかに見て上下方向に（下方の待機位置と上方の演出位置との間を）変位することとなるが、接続部材２０は、本体部１１が上方に向かえば上下方向に長い略「Ｓ（逆Ｓ）」字形状となり、本体部１１が下方に向かえば上下方向に短い略「Ｓ（逆Ｓ）」字形状となる（図６参照）。演出部材１０の移動態様および上記維持部材４３の存在により、演出部材１０がどの位置に位置しているときであっても接続部材２０の「Ｓ」字形状が保たれる（「Ｓ」字の態様（上下方向の長さ）は変化するものの、「Ｓ」字形状は保たれる）。
【００２７】
演出部材１０には、押さえ部１１１ｃが設けられている。押さえ部１１１ｃは、演出部材１０の第一の部分１１１の外縁に設けられている。具体的には、押さえ部１１１ｃは、厚みが小さい第一の部分１１１の外縁から、後方に向かって突出するように設けられた板状の部分である。つまり、演出部材１０の厚み方向（前後方向）の長さで比較すれば、第一の部分１１１よりも押さえ部１１１ｃの方が長い。また、当該方向における押さえ部１１１ｃの長さは、当該方向における接続部材２０の長さよりも小さい。
【００２８】
演出部材１０および接続部材２０は、（演出部材１０が移動した際も）その前後方向位置をほとんど変化させないものである。図７に示すように、前後方向における各部材の位置関係を特定する（平面方向に沿って見る）と、接続部材２０の一部に本体部１１の第一の部分１１１が重なるように設定されている。また、接続部材２０の全体が、押さえ部１１１ｃに重なるように設定されている。
【００２９】
押さえ部１１１ｃは、本体部１１の下側に位置している。当該位置は、演出部材１０（本体部１１）における伝達部材３２が接続された箇所（後述する係合突起１１１ａが設けられた箇所）と、接続部材２０との間である。演出部材１０がその移動範囲におけるどの位置に位置しているときであっても、伝達部材３２が接続された箇所と接続部材２０の間には押さえ部１１１ｃが存在する（図５、図６等参照）。
【００３０】
ベース部材４０には、演出部材１０を駆動させる駆動機構が設けられている。駆動機構は、後述するように演出部材１０を動作させるものであればどのようなものであってもよい。本実施形態における駆動機構は、駆動源３０（本実施形態ではモータ）、歯車列３１、伝達部材３２を含む。駆動源３０の動力は、一または複数の歯車から構成される歯車列３１を介して伝達部材３２に伝達される。
【００３１】
伝達部材３２は、一方側端部である被支持部３２１がベース部材４０に対して回動自在に支持されている。他端側には、端部側長孔３２２が形成され、当該端部側長孔３２２内には、演出部材１０の本体部１１における第一の部分１１１の裏面から後方に向かって突出するように形成された係合突起１１１ａが嵌まり込んでいる。係合突起１１１ａは端部側長孔３２２内をスライドすることができる。
【００３２】
また、伝達部材３２における中央（被支持部３２１と端部側長孔３２２の間）には、中央側長孔３２３が形成されている。当該中央側長孔３２３内には、歯車列３１の最後（最も後段）の歯車に設けられた伝達突起３１１が嵌まり込んでいる。伝達突起３１１は中央側長孔３２３内をスライドすることができる。
【００３３】
ベース部材４０には、各演出部材１０を誘導する誘導溝４１が形成されている。当該誘導溝４１内には、演出部材１０の本体部１１における第一の部分１１１の前面から前方に向かって突出するように形成された被誘導突起１１１ｂが嵌まり込んでいる。被誘導突起１１１ｂは誘導溝４１内をスライドすることができる。この誘導突起と誘導溝４１内の係合により、演出部材１０（本体部１１）を所定の態様で移動させることができる。誘導溝４１の形状は、演出部材１０（本体部１１）の移動態様に応じて適宜設定すればよい。
【００３４】
演出部材１０の動作およびそれに伴う接続部材２０の変形について、一部上記説明と重複するが以下説明する。
【００３５】
待機位置に位置する演出部材１０を演出位置に向かって動作させる際には、図示されない制御手段が駆動源３０を駆動（正転）させる。これにより、各駆動源３０の動力は、歯車列３１の最も後段の歯車まで伝わり、当該歯車に設けられた伝達突起３１１が当該歯車の回転中心を中心として変位する。具体的には、下方から上方に向かうように変位する。
【００３６】
伝達突起３１１は、各伝達部材３２に形成された中央側長孔３２３に嵌まり込んでいるため、中央側長孔３２３の内壁面を押す。これにより、伝達部材３２は、被支持部３２１を支点として、演出部材１０側端部が上方に変位するよう回動する。
【００３７】
当該他方の端部には、端部側長孔３２２が形成されており、当該端部側長孔３２２には係合突起１１１ａが嵌まり込んでいるため、端部側長孔３２２の内壁面が当該係合突起１１１ａを押す。これにより、係合突起１１１ａが設けられた演出部材１０が、被誘導突起１１１ｂが嵌まり込んでいる誘導溝４１に誘導されつつ、アーム部１２が接続されている接続箇所を支点として、上方に向かって回動（変位）する。これにより、演出部材１０の本体部１１が遊技盤９０の開口９０１を通じて遊技者に視認可能な演出位置に位置する。なお、演出位置から待機位置に戻す際には、駆動源３０を逆方向に駆動（逆転）させればよい。
【００３８】
演出部材１０が待機位置から演出位置に移動する際には、本体部１１が上方に向かって変位するため当該本体部１１に接続された接続部材２０の一端も上方に引っ張られる。そのため、接続部材２０は上下方向に長い略「Ｓ（逆Ｓ）」字形状となる（図６（ａ）参照）。一方、演出部材１０が演出位置から待機位置に移動する際には、本体部１１が下方に向かって変位するため当該本体部１１の接続された接続部材２０の一端は下方に抑えつけられる。そのため、接続部材２０は下方に上下方向に短い略「Ｓ（逆Ｓ）」字形状となる。具体的には、本体部１１によって押さえつけられることで「Ｓ（逆Ｓ）」字の屈曲部分の曲率が小さくなるように接続部材２０が変形し、当該接続部材２０の一部が本体部１１に接触する（図６（ｂ）参照）。
【００３９】
本実施形態における演出部材１０には、当該接続部材２０の一部が接触する箇所に押さえ部１１１ｃが設けられている。押さえ部１１１ｃは、演出部材１０の外縁（本体部１１の外縁）に設けられているため、接続部材２０が演出部材１０の外縁よりも内側に入り込もうとするのを阻止する。したがって、演出部材１０が動作する際に接続部材２０が演出部材１０の内側に入り込んで絡み付いてしまい、接続部材２０が損傷してしまう事態の発生を抑制することが可能である。
【００４０】
また、押さえ部１１１ｃの前後方向（演出部材１０の厚み方向）における長さは、当該方向における接続部材２０の長さよりも大きい（図７参照）。そのため、当該方向における接続部材２０の一部（接続部材２０の幅方向における一部）が局所的に演出部材１０に接触してしまい、当該局所的に接触する部分のみ劣化（損傷）が進行してしまうのを抑制することが可能である。特に、本実施形態では、演出部材１０（本体部１１）の第一の部分１１１は、その厚み方向（前後方向）における長さが押さえ部１１１ｃよりも小さいため、押さえ部１１１ｃが設けられていない場合には当該第一の部分１１１が局所的に接続部材２０に接触してしまうため、当該部分の劣化（損傷）が進行してしまうおそれが高いところ、当該接触する部分として設けられた押さえ部１１１ｃにより、このような劣化（損傷）の進行が抑制される。
【００４１】
本実施形態では、相対的に（第二の部分１１２）よりも厚みが小さい第一の部分１１１に伝達部材３２が接続されている（なお、ここでいう「接続」には、演出部材１０と伝達部材３２が動かないように固定されているこうぞうだけでなく、本実施形態のように演出部材１０と伝達部材３２が動かないように固定されていない構造も含む。つまり、演出部材１０と伝達部材３２の「接続箇所」とは、駆動源３０の動力が伝達部材３２を介して演出部材１０に伝達される箇所をいう）。具体的には、演出部材１０の本体部１１の裏面は、第一の部分１１１がその厚みが小さい分、第二の部分１１２よりも一段低くなった形状となっており、当該第一の部分１１１に伝達部材３２が作用する係合突起１１１ａを設け、当該低くなった部分に伝達部材３２が位置している。これにより、演出部材１０およびその駆動機構の小型化を図っている。
【００４２】
しかし、このような構成とすると、第一の部分１１１の厚みが小さいため、当該第一の部分１１１に接触する接続部材２０の局所的な劣化（損傷）が進行してしまうおそれがあるところ、本実施形態では、かかる第一の部分１１１の外縁に押さえ部１１１ｃを設けることにより、このような局所的な劣化（損傷）の進行を抑制している。
【００４３】
また、本実施形態では、前後方向において接続部材２０の全体が押さえ部１１１ｃに重なるように設定されており（図７参照）、当該方向における接続部材２０の全体が押さえ部１１１ｃに接触するため、上記のように接続部材２０が局所的に劣化（損傷）してしまうのを抑制する効果に優れる。
【００４４】
また、本実施形態では、演出部材１０における伝達部材３２が接続された箇所と、接続部材２０との間に押さえ部１１１ｃが設けられているため、接続部材２０と伝達部材３２が接触する（接続部材２０と伝達部材３２が絡んでしまう）のを抑制することも可能である。
【００４５】
以上、本発明の実施の形態について詳細に説明したが、本発明は上記実施の形態に何ら限定されるものではなく、本発明の要旨を逸脱しない範囲で種々の改変が可能である。
【００４６】
例えば、上記実施形態では、接続部材２０は「Ｓ」字形状で配置されているものであることを説明したが、接続部材２０の形状はどのようなものであってもよい。演出部材１０の移動範囲において、接続部材２０が演出部材１０に接触しうるものであれば同様の技術思想が適用可能である。また、演出部材１０の移動範囲や移動態様、演出部材１０を移動させる駆動機構の構成も適宜変更可能である。
以下、上記実施形態から得られる具体的手段（遊技機）を列挙する。
手段１の発明にかかる遊技機は、動作可能な演出部材と、一端が前記演出部材に接続され、当該演出部材が移動することに伴って変形する接続部材と、を備え、前記演出部材には、前記接続部材が当該演出部材の外側に留まるように押さえる押さえ部が設けられていることを特徴とする。
なお、ここでいう「接続」には、接続部材が直接演出部材に接続された構造だけでなく、接続部材が他の部材を介して間接的に演出部材に接続されたような構造を含む。
手段２に記載の発明は、手段１に記載の遊技機において、前記演出部材の厚み方向における前記押さえ部の長さは、当該方向における前記接続部材の長さよりも大きいことを特徴とする。
手段３に記載の発明は、手段１に記載の遊技機において、前記演出部材における外縁に前記押さえ部が設けられた部分の厚み方向における長さは、当該方向における前記接続部材の長さよりも小さく、当該方向における前記押さえ部の長さは、当該方向における前記接続部材の長さよりも大きいことを特徴とする。
手段４に記載の発明は、手段１から手段３のいずれかに記載の遊技機において、前記演出部材は、外縁に前記押さえ部が設けられた第一の部分とそれよりも厚い第二の部分を有し、前記第一の部分に駆動源の動力を伝達するための伝達部材が接続されていることを特徴とする。
手段５に記載の発明は、手段４に記載の遊技機において、前記押さえ部は、前記本体部における前記伝達部材が接続された箇所と、前記接続部材との間に設けられていることを特徴とする。
手段１に記載の発明のように、接続部材が外側に留まるよう押さえる押さえ部が演出部材に設けられていれば、演出部材が動作する際に接続部材が演出部材の内側に入り込んで絡み付いてしまい、接続部材が損傷してしまう事態の発生を抑制することが可能である。
手段２や手段３に記載の発明のように、押さえ部の所定方向における長さを、当該所定方向における接続部材の長さよりも大きくすることで、接続部材の一部が局所的に演出部材に接触してしまい、当該局所的に接触する部分のみ劣化（損傷）が進行してしまうのを抑制することが可能である。
手段４に記載の発明のように、相対的に厚みが小さい第一の部分に伝達部材が接続された構成とすれば、演出部材とそれに動力を伝達する伝達部材の構成が大きくなってしまうのを抑制しつつ、相対的に厚みが小さい第一の部分に押さえ部が設けられているから、当該第一の部分と接続部材が局所的に接触し、当該局所的に接触する部分のみ劣化（損傷）が進行してしまうのを抑制することが可能である。
手段５に記載の発明のように、演出部材における伝達部材が接続された箇所と、接続部材との間に押さえ部が設けられていれば、接続部材と伝達部材が接触する（接続部材と伝達部材が絡んでしまう）のを抑制することが可能である。
【符号の説明】
【００４７】
１  遊技機
１０  演出部材
１１  本体部
１１１  第一の部分
１１１ｃ  押さえ部
１１２  第二の部分
１２  アーム部
２０  接続部材
３０  駆動源
３２  伝達部材
【図１】
0005938662.tif 000002
【図２】
0005938662.tif 000003
【図３】
0005938662.tif 000004
【図４】
0005938662.tif 000005
【図５】
0005938662.tif 000006
【図６】
0005938662.tif 000007
【図７】
0005938662.tif 000008